(57)【要約】本発明は、哺乳瓶（２）と、哺乳瓶（２）に連結されかつ搾乳器用のコネクタ（６）を有するボトルアタッチメント（４）とを含むデバイスに関する。本発明は、ボトルアタッチメント（４）が母乳用のリザーバ（１０）を含む測定ヘッド（８）を有し、測定ヘッド（８）が前記リザーバ（１０）の容積に関連付けられたセンサーシステムを有することを特徴とし、哺乳瓶内に絞り出される乳汁のパラメータを特定することを可能にする。
2021533904.tif 000002
【特許請求の範囲】
【請求項１】
哺乳瓶（２）と、前記哺乳瓶（２）に連結されかつ搾乳器用のコネクタ（６）を有するボトルトップアタッチメント（４）とを含む装置であって、前記ボトルトップアタッチメント（４）は、母乳用のリザーバ（１０）を有する測定ヘッド（８）を含み、前記測定ヘッド（８）は、前記リザーバ（１０）の容積に関連付けられたセンサーユニットを含むことを特徴とする装置。
【請求項２】
前記リザーバ（１０）は、前記哺乳瓶（２）への流出開口部（１２）と、前記流出開口部（１２）に配置された閉鎖要素（１４）とを含み、前記閉鎖要素（１４）は、前記リザーバ（１０）内に少なくとも一定量の乳汁を保持するように適合されていることを特徴とする、請求項１に記載の装置。
【請求項３】
弁（１４）が前記流出開口部（１２）に配置され、閉位置で前記リザーバ（１０）の前記流出開口部（１２）に当接し、前記リザーバ（１０）に含まれる乳汁の重量力により開位置に押し進められることを特徴とする、請求項２に記載の装置。
【請求項４】
同じ高さで互いに向かい合って配置された少なくとも２つの光センサーデバイス（１６、１８）が、前記リザーバ（１０）に関連付けられていることを特徴とする、請求項１から３のいずれか一項に記載の装置。
【請求項５】
光検出器（１６）が前記リザーバ（１０）の一方の側面（２０）に配置され、発光体（１８）が前記リザーバ（１０）の他方の側面（２２）に配置されていることを特徴とする、請求項４に記載の装置。
【請求項６】
前記リザーバ（１０）の一方の側面（２０）の光検出器（１６）と、前記リザーバ（１０）の他方の側面（２２）の発光体（１８）とが、それぞれ高さ方向に上下に配置されていることを特徴とする、請求項４又は５に記載の装置。
【請求項７】
前記発光体（１８）に制御するように接続され、前記発光体（１８）が所定の期間、所定の順序で再びオン及びオフに切り替えられるように適合された制御ユニットを特徴とする、請求項６に記載の装置。
【請求項８】
前記制御ユニットは、前記発光体（１８）のオン及びオフの切り替えが周期的に繰り返されるように適合されていることを特徴とする請求項７に記載の装置。
【請求項９】
前記光検出器（１６）の測定された強度によって前記リザーバ（１０）に含まれる乳汁のパラメータを特定するように適合された処理ユニットを特徴とする、請求項６から８のいずれか一項に記載の装置。
【請求項１０】
前記リザーバの中心軸（Ａ）が前記測定ヘッドの中心軸（Ａ）と一致することを特徴とする、請求項１から９のいずれか一項に記載の装置。
【請求項１１】
前記リザーバ（１０）は、実質的に矩形の、特に正方形の断面を有することを特徴とする、請求項１から１０のいずれか一項に記載の装置。
【請求項１２】
前記測定ヘッド（８）は、外側ハウジング（２４）と、前記リザーバ（１０）を形成する内側ハウジング（２６）とを含み、前記外側ハウジング（２４）は、前記内側ハウジング（２６）に着脱可能に接続されることを特徴とする、請求項１から１１のいずれか一項に記載の装置。
【請求項１３】
前記外側ハウジング（２４）は、ねじ山（２８）によって前記哺乳瓶（２）の首に螺合できることを特徴とする、請求項１２に記載の装置。
【請求項１４】
前記内側ハウジング（２６）は、ねじ山（３０）によって前記コネクタに螺合できることを特徴とする、請求項１２又は１３に記載の装置。
【請求項１５】
哺乳瓶（２）用のボトルトップアタッチメント（４）であって、前記ボトルトップアタッチメント（４）はリザーバ（１０）を有する測定ヘッド（８）を含み、前記測定ヘッド（８）は前記リザーバ（１０）の容積に関連付けられたセンサーユニットを含むことを特徴とする、ボトルトップアタッチメント（４）。
【発明の詳細な説明】
【背景技術】
【０００１】
本発明は、請求項１の前提部分の特徴を有する装置に関する。このような装置は、特許文献１から知られている。哺乳瓶とボトルトップアタッチメントとを含む装置が、特許文献１から知られている。ボトルトップアタッチメントは、哺乳瓶のボトルネックに螺合される。一実施形態では、センサーユニットが、哺乳瓶のボトルネックを通って落下する乳汁の液滴を検出する。別の実施形態では、ボトルネックに配置されたフラップ弁の開位置が感知される。哺乳瓶の中身については、哺乳瓶に到達する乳汁液滴の数を測定することによって、又は弁の開位置から、それぞれ結論を導き出すことができる。
【先行技術文献】
【特許文献】
【０００２】
【特許文献１】米国特許出願公開第２０１５／０２８３３１１号明細書
【特許文献２】国際公開第２０１４／１６１０９９号
【発明の概要】
【発明が解決しようとする課題】
【０００３】
乳汁液滴の大きさ及び形状が様々であり得るため、この乳汁の量に関する結論は、時として不正確である。本発明の目的は、従来の装置を改良することである。本発明は、特に、哺乳瓶に流入する乳汁のパラメータの正確かつ連続的な検出を可能にし、洗浄が容易であり、簡単なメンテナンスを保証する装置を提供することを目指している。
【課題を解決するための手段】
【０００４】
この目的を満たすために、本発明は、請求項１の特徴を有する装置を提案する。装置は、哺乳瓶と、哺乳瓶に連結されたボトルトップアタッチメントとを含む。ボトルトップアタッチメントは、搾乳器を接続することができるコネクタを含む。搾乳器は、典型的には、人間の女性の乳房に適合し、特に人間の女性の乳房に密封するように適用することができ、ハンドポンプ又は電気作動ポンプと相互作用して乳房シールドと乳房との間に負圧を生成するように適合された乳房シールドを含む。負圧は、典型的には、ポンプのポンピング又は吸引ストロークに対応する特定の周波数で生成される。これは、乳汁の流れを刺激する。コネクタは、典型的には、乳房シールド内に集められた乳汁をボトルトップアタッチメントの測定ヘッドの方向に排出する流路を含む。乳房シールドはまた、コネクタに強固に一体化され得る。
【０００５】
ボトルトップアタッチメントは、哺乳瓶から分離することができるので、満たされた哺乳瓶を乳児に哺乳するための哺乳瓶用乳首に接続することができる。ボトルトップアタッチメントは、哺乳瓶のボトルネックに着脱可能に接続され、典型的には螺合される。本発明による装置は、ボトルトップアタッチメントが母乳用のリザーバを有する測定ヘッドを含み、測定ヘッドがリザーバの容積に関連付けられたセンサーユニットを含むことを特徴とする。センサーユニットは、リザーバの全容積を検出する必要はない。
【０００６】
ボトルトップアタッチメントは、典型的には、哺乳瓶のボトルネックによって形成される哺乳瓶の開口部に設けられる。ボトルベースは、一般に、ボトルネックと反対側の端部に配置される。通常、哺乳瓶は、束縛を受けずに、哺乳瓶の底に直立するように設計されている。上、下、垂直、水平などの方向情報は、すべての場合において、平らな水平面にボトルベースを置いて立っている装置に関するものである。
【０００７】
本発明による哺乳瓶は、典型的には、少なくとも部分的に透明な熱可塑性材料又はガラスから製造される。特に好ましくは、ポリプロピレンが使用される。プラスチック材料で作られる哺乳瓶は、使い捨ての瓶として又はリターナブル瓶として製造することができ、通常７．５〜３０ｇの重量を有する。再使用可能な哺乳瓶は、好ましくは、約０．９ｍｍの壁厚を有する。
【０００８】
哺乳瓶の公称容積は、典型的には８０から２５０ｍｌ、特に８０ｍｌ、１５０ｍｌ又は２５０ｍｌである。哺乳瓶が収容できる最大容積は、通常３３０ｍｌ以下である。
【０００９】
哺乳瓶は、好ましくは約６０から１６０ｍｍ、好ましくは６６ｍｍ、９９．５ｍｍ、１０２ｍｍ、１３６ｍｍ又は１４８．５ｍｍの高さを有する。ボトルのネックの直径は、典型的には３３ｍｍである。哺乳瓶の最大直径は、典型的には５０から７０ｍｍ以下、好ましくは５３ｍｍ、６０ｍｍ又は６５ｍｍ以下である。全ての寸法は、±１０％、好ましくは±５％の公差を有するものと理解されるべきである。
【００１０】
哺乳瓶は、一般に、円錐状に先細りしてボトルネックを形成する実質的に円筒形のボトル本体を有する。瓶の本体の直径も、その長さにわたって様々であり得る。例えば、瓶の本体は、特に１つ以上の円錐形部分によって接続され得る、異なる直径のいくつかの円筒形部分を有することができ。通常、ボトルネックの直径は最小である。ボトルネックは、好ましくは雄ねじを備える。
【００１１】
ボトルベースは通常、座面を形成し、哺乳瓶は座面で平らな支持面上に直立する。座面は、典型的には実質的に平坦な面であり、任意選択でリザーバに向かって内側に中心曲率を任意に有することができる。設置面積の座面は、下方に突出するリングによって形成することもできる。
【００１２】
測定ヘッドは、典型的にはコネクタの下に配置され、好ましくは搾乳器を通してコネクタに吸い込まれた乳汁液滴をリザーバ内に捕捉する。このために、リザーバは、典型的には、上端に充填口を有するように形成される。好ましくは、リザーバは、頂部に向かって開口している。また、リザーバは、典型的には、乳汁液滴がリザーバから直接落下しないように設計される。リザーバの下側側壁は、好ましくは液密である。リザーバの幾何学的形状は、特定の容積を有するキャビティを画定する。この容積は、典型的には０．５ｍｌから４ｍｌ、好ましくは０．８ｍｌから１．５ｍｌである。この容積は、センサーユニットに関連付けられている。換言すれば、センサーユニットは、リザーバのキャビティに向かって配向される。センサーユニットは、特に、リザーバ内の乳汁のパラメータ、例えば、リザーバ内の乳汁充填量を特定するように設計される。
【００１３】
本発明は、乳汁が哺乳瓶に入る前に乳汁のパラメータを特定することを可能にする。乳汁を滴下する際に及び／又は一滴ずつ測定する必要がないため、精度は従来技術よりも高くなる。代わりに、複数の乳汁液滴は、まとめられてリザーバ内の一部分を形成することができ、次いでセンサーユニットによって測定又は正確に測定される。
【００１４】
本発明の１つの好ましい展開によれば、リザーバは、哺乳瓶への流出開口部と、流出開口部に配置された閉鎖要素とを有する。閉鎖要素は、リザーバ内に少なくとも一定量の乳汁を保持するように適合される。閉鎖要素は、好ましくは、閉位置において、液滴充填中にリザーバの流出開口部に当接する弁として設計される。リザーバ内の流体圧力が閉鎖要素の抵抗閾値を超えると、閉鎖要素は開位置に押し進められ、その結果、一定量の乳汁が、リザーバから哺乳瓶に流れ込むことができる。閉鎖要素は、例えば、出願人に由来する特許文献２に従って、又は特許文献１に従ってフラップ弁のように設計することができる。典型的には、流体圧力の低下により閉鎖部材が閉位置に戻るため、リザーバは完全に空にならない。
【００１５】
閉鎖要素の抵抗閾値は、好ましくは調整可能である。閉鎖要素は、流出開口部に接して予め張力を加えられている可能性がある。充填高さは、好ましくは１５から２５ｍｍである。閉鎖要素が再び閉じられた後にリザーバに典型的に残る残留量は、典型的には０．１ｍｌから０．３ｍｌである。
【００１６】
閉鎖要素に作用するリザーバ内の乳汁の流体圧力は静水圧である。弁は、好ましくは一方向弁として設計される。さらに好ましくは、弁は弁膜を有し、弁膜は、その幾何学的形状により、哺乳瓶の側の弁膜に流体圧力がかかっている間、静止位置に留まる。静止位置では、弁膜はリザーバの流出開口部に支えられている。流出開口部は、一般にリザーバの側壁に設けられ、その結果、弁膜は、垂直な位置から離れて開位置に押し進められ、好ましくは旋回される。弁膜は、好ましくは、可撓性プラスチック材料、特にシリコーンで作られている。
【００１７】
ポンプの真空サイクルによって引き起こされる流れのリズム、すなわち哺乳瓶への乳汁の部分的な流出は、その後、簡単かつ省エネルギーな方法で実施することができる。
【００１８】
本発明の１つの好ましい展開によれば、同じ高さで互いに向かい合って配置された少なくとも２つの光学センサーデバイスがリザーバに関連付けられている。この文脈における「光学的」及び「光」という用語は、可視光に限定されず、基本的に、電磁スペクトル全体を指している。光センサーデバイスは、好ましくは赤外線範囲に適合されている。一般に、センサーデバイスは、乳汁がリザーバの容積を満たすときにリザーバ内の乳汁カラム（柱状体）の少なくとも一部がセンサーデバイスの間に設けられるように配置される。センサーデバイスは、センサーデバイス間に乳汁が配置されているか又は空気が配置されているかに応じて、異なる信号を検出するように配置される。センサーデバイスは、好ましくは、例えば射出成形によって、向かい合って配置されたリザーバの側壁に組み込まれる。代わりに、センサーデバイスはそれぞれ、リザーバの透明又は半透明の側壁の外側に取り付けることができる。
【００１９】
次いで、リザーバ内の乳汁カラムがセンサーデバイス間に延在するか否か、又はどれだけ高く延在するかを特定することができ、その結果、リザーバ内の乳汁充填量に関して結論を導き出すことができる。
【００２０】
さらに好ましくは、光検出器がリザーバの一方の側に配置され、発光体がリザーバの他方の側に配置される。光検出器及び発光体はそこで同じ高さに配置されているため、光検出器と発光体との間の最短光路は水平方向に延びている。発光体は、典型的には、光検出器に向かって配向される。光検出器によって受信される信号は、発光体と光検出器との間に乳汁が存在する場合よりも、発光体と光検出器との間に空気が存在する場合の方が高い強度を有する。
【００２１】
発光体は好ましくはＬＥＤ又はＬＥＤチップであり、光検出器は好ましくはフォトトランジスタである。さらに好ましくは、いくつかの光検出器がリザーバの一方の側に配置され、いくつかの発光体がリザーバの他方の側に配置される。光検出器は垂直方向に上下に配置される。発光体についても同様である。各光検出器は、同じ高さに向かい合って配置された発光体に関連付けられている。発光体及び光検出器はそれぞれ、好ましくは高さ方向に延びる一直線上に配置される。
【００２２】
結果として、リザーバ内の乳汁カラムのレベルをより正確に特定することができる。
【００２３】
本発明の１つの好ましい展開によれば、装置は、発光体に制御するように接続された制御ユニットであって、発光体が所定の期間中に所定の順序で再びオン及びオフに切り替えられるように適合された制御ユニットを含む。期間は通常数ミリ秒、好ましくは２ミリ秒以下である。期間が非常に短いように選択されるので、リザーバ内の乳汁カラムは、それぞれの光検出器の高さに対する光検出器の測定強度をプロットすることによって、それぞれの時点でマッピングすることができる。発光体が再びオン及びオフされるシーケンスは通常それほど重要ではないが、好ましくは高さ方向に連続的である。
【００２４】
制御ユニットは、好ましくは、このようなマッピングを周期的な間隔で生成する。この好ましい展開によれば、制御ユニットは、発光体のオンとオフの切り替えが周期的に繰り返されるように適合されている。期間は、好ましくは１０から２０ミリ秒、より好ましくは１３から１７ミリ秒、非常に好ましくは約１５ミリ秒である。
【００２５】
これにより、リザーバ内の乳汁カラムのレベルを連続的に監視することができる。
【００２６】
本発明のさらに好ましい１つの展開によれば、装置は、光検出器の測定された強度によってリザーバに含まれる乳汁のパラメータを特定するように適合された処理ユニットを含む。例えば、哺乳瓶への体積流量は、処理ユニットを用いて、時間の関数としてのリザーバ内の乳汁レベルの変化に基づいて計算することができる。これにより、経時的な乳房の乳汁送達に関する直接的な結論が可能になる。別のパラメータは、所定の時点でのリザーバ内の乳汁の量であり、これは、乳汁カラムの現在のレベル及びリザーバの寸法によって特定することができる。
【００２７】
リザーバの中心軸は、好ましくは、測定ヘッドの中心軸と一致する。これにより、センサーユニットをリザーバに対して最適に配向させることができる。また、制御ユニット及び処理ユニットは、リザーバと測定ヘッドの外壁との間に配置することができる。
【００２８】
より好ましくは、リザーバは、実質的に矩形の、特に正方形の断面を有する。ここでの断面は水平方向に延びているので、断面又はリザーバの上面図にそれぞれ矩形形状が示されている。これは、流出開口部がリザーバの側壁に配置されかつ閉鎖要素が平坦な板状要素として提供されるならば、流出開口部に対する閉鎖要素の支持を単純化する。リザーバは、好ましくは、８ｍｍの長さ、８ｍｍの幅、及び２０ｍｍの高さを有する。出口開口部は、好ましくは５ｍｍの直径を有する。
【００２９】
本発明の１つの好ましい展開によれば、測定ヘッドは、外側ハウジングと、リザーバを形成する内側ハウジングとを含み、外側ハウジングは、内側ハウジングに着脱可能に接続される。内側ハウジングは、一般に、外側ハウジング内に同軸に配置される。
【００３０】
これにより、測定ヘッドのクリーニング及びセンサーユニットのメンテナンスが容易になる。外側ハウジングは、衝撃に対するリザーバの保護及び損傷に対するセンサーユニットの保護を強化する。
【００３１】
外側ハウジングは、好ましくは、ねじ山によって哺乳瓶の首に螺合される。哺乳瓶のボトルネックは、一般に、外側ハウジングの雌ねじと相互作用する雄ねじを有する。また好ましくは、内側ハウジングは、ねじ山によってコネクタに螺合される。内側ハウジングは、典型的には、コネクタによって円周方向に囲まれかつコネクタとねじ係合する雄ねじを有する。
【００３２】
結果として、ボトルトップアタッチメントの個々のコンポーネントを容易に分離することができるので、クリーニング及びメンテナンスが容易になる。
【００３３】
代替的に、測定ヘッドは、一体的に形成され、一方の側で哺乳瓶の首に、他方の側でコネクタに着脱可能に接続され、好ましくは螺合される。更なる代替案によれば、ボトルトップアタッチメントは、完全に一体的に形成することができる。
【００３４】
リザーバは、好ましくは、ポリプロピレン（ＰＰ）で作られ、リザーバは、特に、赤外光に対して透過性である必要がある。内側及び外側ハウジングもポリプロピレン（ＰＰ）で作られる必要がある。
【００３５】
独立した態様では、本発明は、哺乳瓶用のボトルトップアタッチメントを提供する。ボトルトップアタッチメントは、リザーバを有する測定ヘッドを含む。測定ヘッドは、リザーバの容積に関連付けられたセンサーユニットを有する。ボトルトップアタッチメントは、通常、搾乳器用のコネクタを含む。ボトルトップアタッチメントは、好ましくは、上述した展開の１つ以上に従って形成される。
【図面の簡単な説明】
【００３６】
本発明の更なる詳細は、図面と組み合わせた本発明の一実施形態の以下の説明から明らかになるであろう。
【図１】本発明の一実施形態の側面図を示す。
【図２】図１の測定ヘッドの断面図を示す。
【図３】図２に対して９０°回転した視点からの、図２の測定ヘッドの内側ハウジングの断面図を示す。
【図４】図３に対して１８０°回転した視点からの測定ヘッドの内側ハウジングの断面図を示す。
【図５】実施形態の部分断面図を示す。
【発明を実施するための形態】
【００３７】
図１は、哺乳瓶２と、哺乳瓶２に連結されたボトルトップアタッチメント４とを含む、本発明による装置の実施形態を示す。ボトルトップアタッチメント４は、コネクタ６と、哺乳瓶２とコネクタ６との間に配置された測定ヘッド８とを含む。測定ヘッド８は、哺乳瓶２とコネクタ６とに螺合される。典型的なコネクタ６は、搾乳器用の接続部を有する。この搾乳器の乳房シールド９のみが図１に示されており、女性の乳房に適用され、コネクタ６に接続可能なポンプと相互作用して、乳房に負圧を発生させることができる。本実施形態によれば、哺乳瓶２は、測定ヘッドの中心軸と一致する垂直対称軸に関して回転対称である。哺乳瓶２は、透明なプラスチック材料又はガラスで作られている。
【００３８】
図２は、その中心軸Ａ（図４参照）の周りにリザーバ１０が配置されている測定ヘッド８の断面図を示す。本実施形態によれば、リザーバ１０は、正方形断面を有する。図で左側にあるリザーバ１０の側壁の下端に、リザーバ１０は流出開口部１２を有する。リザーバ１０の下側底部は、出口開口部１２の方向に下がるように形成される。閉鎖要素１４が出口開口部に当接する。本実施形態における閉鎖要素１４は、弁膜として形成されている。リザーバ内の乳汁による弁膜への十分な流体圧力によって、弁膜は、出口開口部１２から横方向に持ち上がり、少なくとも部分的に出口開口部１２を露出させることができる。出口開口部１２は、リザーバ１０の最下点と同一平面に形成される。
【００３９】
図３に示すように、同じ高さで互いに向かい合って配置された光検出器１６及び発光体１８は、リザーバに関連付けられている。光検出器１６は、リザーバの一方の側面２０に、高さ方向に垂直線上に上下に配置されている。発光体１８は、リザーバ１０の反対の側面２２に、高さ方向に垂直線上に上下に対応して配置されている。出口開口部は、図３では、実質的に円形の開口部として見ることができる。
【００４０】
測定ヘッド８は、外側ハウジング２４と、リザーバ１０を形成する内側ハウジング２６とを有する（図２参照）。測定ヘッド８は、外側ハウジング２４の下端にある雌ねじ２８によって、哺乳瓶２のボトルネックに雄ねじで螺合される。測定ヘッド８の内側ハウジング２６には、測定ヘッド８をコネクタ６に螺合する雄ねじ３０が形成されている。
【００４１】
図４は、測定ヘッド８の垂直対称軸Ａの両側の等しい高さでの光検出器１６及び発光体１８の配置を示す。本実施形態によれば、合計１４個の光検出器１６ａ〜１６ｎと、１４個の発光体１８ａ〜１８ｎとが設けられている。これらは、それぞれ中心軸Ａに平行な垂直線上で上下に直線的に配置されている。光検出器１６及び発光体１８は、それぞれリザーバ１０の側壁に取り付けられている。リザーバ１０は、透明材料で作られている。
【００４２】
図５に示すように、リザーバ１０の出口開口部１２は、外側ハウジング２４の方向に下向きに傾斜する傾斜路３２に隣接している。外側ハウジング２４は、ボトルネックの開口部を取り囲み、ドリップエッジとして機能するカラー３４を有する。
【００４３】
乳房シールド９に集められた母乳は、乳房シールドと一体的に形成されたポートを通してコネクタ６に送られる。ポートは、乳房シールド９から斜め下方にコネクタ６まで延びている。コネクタ６の流路は、ポートの下端の下に形成されている。流路は、上方に開いたリザーバの真上で終了する。乳房シールド９に集められた乳汁は、上述した幾何学的形状及び重力により、リザーバ１０に流入する。リザーバの下向きに傾斜した底部（図２参照）により、乳汁は最初に流出開口部１２の上流に集まる。閉鎖要素１４は、初めは、重量力から生じる乳汁の流体圧力に耐える。リザーバ１０内に乳汁カラムが形成される。乳汁カラムの流体圧力が、閉鎖要素１４を流出開口部１２から離すのに十分な大きさである場合、乳汁カラムの一部分は、流出開口部１２を通ってリザーバ１０から流出することができる。上記部分は、傾斜路３２を通って外側ハウジングの内壁に流れる。この内壁から、上記部分はカラー３４へと下方に流れ、そこで上記部分は最終的に哺乳瓶２内に滴下する。その後、閉鎖要素が閉位置に移動すると、リザーバ内の乳汁カラムは、閉鎖要素が再び開位置に押し進められるまで再び高くなる。
【００４４】
本実施形態によれば、リザーバ１０内の乳汁カラムは、１５ミリ秒毎にセンサーデバイス１６、１８によって透過照明される。この透過照明のために、センサーデバイス１６、１８は２ミリ秒以下を必要とする。１５ミリ秒ごとに、乳汁カラムの垂直方向の延長のスナップショットが作成される。乳汁は空気よりも多くの光を吸収及び／又は散乱するので、乳汁カラムの上方に配置された光検出器１６は、乳汁カラムがその間に延びる光検出器１６よりも高い強度を測定する。しかしながら、本実施形態に係る光検出器１６及び発光体１８は、赤外領域に適合されている。リザーバ１０内の乳汁カラムの高さは、連続的に監視される。閉鎖要素１４の開位置ごとに、乳汁カラムの高さ又は乳汁レベルはそれぞれ減少する。吸引ポンプの１回の吸引サイクル中に哺乳瓶に流入する乳汁の量又は部分は、この減少から計算することができる。監視は連続的であるため、哺乳瓶への体積流量、すなわち、単位時間当たりの乳汁の量を特定することができる。体積流量が多い場合、より多くの乳汁が排出される。体積流量が少ない場合、排出される乳汁は少なくなる。
【符号の説明】
【００４５】
２  哺乳瓶
４  ボトルトップアタッチメント
６  コネクタ
８  測定ヘッド
１０  リザーバ
１２  流出開口部
１４  閉鎖要素
１６  光検出器
１８  発光体
２０、２２  向かい合って配置されたリザーバの側面
２４  外側ハウジング
２６  内側ハウジング
２８  雌ねじ
３０  雄ねじ
３２  下向きに傾斜する傾斜路
３４  ドリップエッジ
Ａ  中心軸
【図１】
2021533904.tif 000003
【図２】
2021533904.tif 000004
【図３】
2021533904.tif 000005
【図４】
2021533904.tif 000006
【図５】
2021533904.tif 000007
【国際調査報告】
2021533904.tif 000008
2021533904.tif 000009
2021533904.tif 000010
2021533904.tif 000011
2021533904.tif 000012
2021533904.tif 000013